(57)【特許請求の範囲】
【請求項１】
地上デジタル放送のチャンネルに対応して設けられたｎ個のレベル調整部及び１個の周波数変換部を備え、
前記レベル調整部は、
前記地上デジタル放送信号を可変増幅する可変増幅アンプと、
前記可変増幅された地上デジタル放送信号を所定の中間周波数に変換する第一ミキサと、
前記中間周波数に変換された地上デジタル放送信号の中から特定のチャンネルの信号を取り出すフィルタと、
該特定のチャンネルの信号を元の地上デジタル放送信号の周波数に変換する第二ミキサと、
前記第一ミキサ及び第二ミキサで共通に使用する第一局部発振周波数を発生する第一局部発振器とを含み、
前記周波数変換部は、
前記ｎ個のレベル調整部の出力を合成する合成手段と、
前記合成手段によって合成された信号をＶＨＦ帯、ＭＩＤ帯又はＣＡＴＶ帯域に変換する第三ミキサと、
前記第三ミキサで使用する第二局部発振周波数を発生する第二局部発振器とを含む
ことを特徴とする地上デジタル放送受信用ヘッドエンド装置。
【請求項２】
地上デジタル放送信号を受信して、そのチャンネル毎のレベル調整を行い、且つ、レベル調整後の地上デジタル放送信号をＶＨＦ帯、ＭＩＤ帯又はＣＡＴＶ帯域に変換して共同受信設備に供給する地上デジタル放送共聴システムにおいて、
地上デジタル放送のチャンネルに対応して設けられたｎ個のレベル調整部及び１個の周波数変換部を備え、
前記レベル調整部は、
前記地上デジタル放送信号を可変増幅する可変増幅アンプと、
前記可変増幅された地上デジタル放送信号を所定の中間周波数に変換する第一ミキサと、
前記中間周波数に変換された地上デジタル放送信号の中から特定のチャンネルの信号を取り出すフィルタと、
該特定のチャンネルの信号を元の地上デジタル放送信号の周波数に変換する第二ミキサと、
前記第一ミキサ及び第二ミキサで共通に使用する第一局部発振周波数を発生する第一局部発振器とを含み、
前記周波数変換部は、
前記ｎ個のレベル調整部の出力を合成する合成手段と、
前記合成手段によって合成された信号をＶＨＦ帯、ＭＩＤ帯又はＣＡＴＶ帯域に変換する第三ミキサと、
前記第三ミキサで使用する第二局部発振周波数を発生する第二局部発振器とを含む
ことを特徴とする地上デジタル放送共聴システム。
【請求項３】
前記フィルタは、ＳＡＷフィルタであることを特徴とする請求項１記載の地上デジタル放送受信用ヘッドエンド装置。
【請求項４】
前記フィルタは、ＳＡＷフィルタであることを特徴とする請求項２記載の地上デジタル放送共聴システム。
【発明の詳細な説明】
【技術分野】
【０００１】
本発明は、地上デジタル放送受信用ヘッドエンド装置及び地上デジタル放送共聴システムに関する。詳しくは、地上デジタル放送を受信して、チャンネル毎のレベル調整を行うと共に、ＶＨＦ帯やＭＩＤ帯又はＣＡＴＶ帯域などの地上デジタル放送チャンネル帯以外の他の周波数に変換して共同受信設備に供給する地上デジタル放送受信用ヘッドエンド装置及び地上デジタル放送共聴システムに関する。
【背景技術】
【０００２】
地上デジタル放送の使用周波数帯域は、地上アナログ放送と共通のＵＨＦ帯（４７０ＭＨｚ〜７７０ＭＨｚ）であり、地上アナログ放送と同様に、その帯域を６ＭＨｚずつに５０等分して、それぞれを「１３」から「６２」までの放送チャンネルとして利用する。
【０００３】
地上アナログ放送では、隣接チャンネル妨害回避のために、少なくとも一つおきのチャンネルで放送が行われていたが、地上デジタル放送では、隣接チャンネル妨害に強い直交周波数分割多重（ＯＦＤＭ）が採用されているため、そのような間欠的なチャンネル割り当ては行われていない。
【０００４】
しかし、地上デジタル放送といえども、実際のフィールドにおいては、チャンネル毎の受信信号のレベルに偏差が生じることがあり、この偏差が大きい場合には、受信機増幅段の非線形歪みによる影響から受信品質が劣化することがある。このため、ヘッドエンド装置と呼ばれる装置を用いて、受信チャンネル毎のレベル調整が行われている。
【０００５】
ヘッドエンド装置は、とりわけ、ビルやマンション等における共同受信設備に適用されるが、ＵＨＦ帯以下の周波数帯域、たとえば、ＶＨＦ帯やミッドバンド（ＭＩＤ帯）などにしか対応していない共同受信設備においては、チャンネル毎のレベル調整機能に加えて、さらに、ＶＨＦ帯やＭＩＤ帯などの他の周波数に変換して出力する機能も求められる。
【０００６】
上記の二つの機能、すなわち、チャンネル毎のレベル調整機能と、周波数変換機能（ＵＨＦ帯の地上デジタル放送信号をＶＨＦ帯やＭＩＤ帯などの他の周波数に変換して出力する機能）とを備えた従来のヘッドエンド装置としては、たとえば、非特許文献１に記載されたものが知られている。
【０００７】
図４は、従来のヘッドエンド装置のブロック図である。但し、図示の構成は、簡単化のために、任意の一つのチャンネルのレベル調整を行う部分だけを代表的に示している。実際のヘッドエンド装置においては、チャンネルの数の分だけ、図示の構成が並列に接続されており、最終的にすべてのチャンネルが混合され、共同受信設備に供給されている。
この図において、ＵＨＦ帯の地上デジタル放送信号は、前段アンプ１と前段ミキサ２を経てフィルタ３に入力されている。そして、このフィルタ３によって特定チャンネル（たとえば、地上デジタル放送の１３ｃｈ）以外の周波数成分が取り除かれた後、後段ミキサ４及び後段アンプ５を経て、不図示の共同受信設備に供給されている。
【０００８】
前段ミキサ２及び後段ミキサ４は、それぞれ専用の局部発振器６、７で作られた個別の局部発振周波数ｆ１、ｆ２と入力周波数とを混合してその差又は和の周波数の信号を取り出すものであり、前段ミキサ２用の局部発振周波数ｆ１は、フィルタ３に適合した中間周波数に変換するためのもの、後段ミキサ４用の局部発振周波数ｆ２は、たとえば、ＶＨＦ帯の周波数に変換するためのものである。また、チャンネルのレベル調整は、前段アンプ１や後段アンプ５の増幅度を変えることによって行われる。
【０００９】
このような構成において、たとえば、フィルタ３に適合した中間周波数を便宜的に５６．８７５ＭＨｚとする。特定チャンネルは、たとえば、１３チャンネルであり、地上デジタル放送の１３チャンネルの帯域は、中心周波数４７３．１４２８５７ＭＨｚの±３ＭＨｚであるから、前段ミキサ２用の局部発振周波数ｆ１を４７３．１４２８５７ＭＨｚ＋５６．８７５ＭＨｚ、つまり、ｆ１＝５３０．０１７８５７ＭＨｚにすればよい。前段ミキサ２により、中心周波数５６．８７５ＭＨｚの±３ＭＨｚの中間周波信号に変換できる。また、フィルタ３を通過した信号をＶＨＦ帯の周波数に変換する場合は、後段ミキサ４用の局部発振周波数ｆ２をＦｘ＋５６．８７５ＭＨｚとすればよい。ここで、ＦｘはＶＨＦ帯域（９０〜２２２ＭＨｚ）に対応した所定の周波数である。
【００１０】
【非特許文献１】「社団法人日本ＣＡＴＶ技術協会標準規格（ＪＣＴＥＡ  ＳＴＤ−０１１−１．０）デジタル有線テレビジョン放送・地上デジタルテレビジョン放送・パススルー伝送方式  第１．０版」社団法人日本ＣＡＴＶ技術協会発行、２００３年７月１日
【発明の開示】
【発明が解決しようとする課題】
【００１１】
しかしながら、上記の従来のヘッドエンド装置にあっては、フィルタ３の前後に位置する二つのミキサ（前段ミキサ２と後段ミキサ４）に対して、それぞれ専用の局部発振器６、７で作られた個別の局部発振周波数ｆ１、ｆ２を与える仕組みになっていたため、以下の不都合がある。
【００１２】
（１）局部発振器の周波数は常に一定であることが理想であるが、実際には１チャンネルにつき２つの局部発振器を使用しているため、周波数変換した際に理想の変換後の周波数値とずれが生じる。また、多少の位相の“ゆらぎ”も避けられない。この“ゆらぎ”のことを位相雑音という。上記の従来のヘッドエンド装置における周波数のずれ及び位相雑音は、個別の局部発振周波数ｆ１、ｆ２を使用しているため、以下の不都合をもたらす。
【００１３】
図５及び図６は、周波数ずれの影響を説明する図である。図５（ａ）に示すように、放送局から送られてくるＵＨＦ帯の地上デジタル放送（図示の例では代表として１３〜１５ｃｈの周波数配列を示す。）は、互いのチャンネルの間の干渉を防止するために、約０．４ＭＨｚのガードバンドが設けられている。
各チャンネル毎にガードバンドを介して隣り合って配列された地上デジタル放送信号を変換すると、中間周波数で使用するフィルタ３の特性により、実際には隣接チャンネルを完全にカットできず、漏れが生じる。たとえば、図５（ｂ）において、あるチャンネル（ここでは１３ｃｈとする）をフィルタ３を通して変換した後の信号をＣ１３ｃｈとすると、このＣ１３ｃｈの信号は隣接チャンネルのＣ１４ｃｈやＣ１５ｃｈを完全にカットできず、若干漏れが生じている。なお、Ｃ１４ｃｈやＣ１５ｃｈは、１４ｃｈ用及び１５ｃｈ用の各々のレベル調整部の出力である。また、別の１４ｃｈ用のレベル調整部においては、図５（ｃ）の変換後の図に示すように、Ｃ１４ｃｈの信号も隣接チャンネルのＣ１３ｃｈやＣ１５ｃｈを完全にカットできず、若干漏れが生じている。
【００１４】
このような場合、仮に各チャンネル毎に設けられた局部発振周波数ｆ１、ｆ２の理想値と実際値との差をゼロとすると、図６（ａ）に示すように、たとえば、Ｃ１３ｃｈとＣ１４ｃｈ用のレベル調整部の出力が混合された際に、漏れた信号とそのチャンネルの本来の信号の位相が揃っているため、いわゆるＳＦＮ（Single Frequency Network）となって何ら問題とはならないが、局部発振周波数ｆ１、ｆ２に理想値とのずれがある場合には、図６（ｂ）に示すように、理想値とする変換後の周波数帯とずれが生じ、漏れた信号とそのチャンネルの本来の信号が不揃いとなってしまい、漏れた信号が、そのチャンネルの妨害波となって、結局、地上デジタル放送の正常受信ができなくなる。
【００１５】
（２）かかる不都合を解消するためには、フィルタ３に高性能なもの（いわゆるキレのよい特性のもの）を使用する必要がある。このようなフィルタとしては、たとえば、ＳＡＷ（表面弾性波）フィルタが知られているが、隣接チャンネルからの漏れ信号を完全にカットできるＳＡＷフィルタは相当高価であり、また、安価なフィルタでは、フィルタ１段ではカットしきれないため、複数段構成にしなければならない。しかも、チャンネル数分のＳＡＷフィルタを必要とするから、ヘッドエンド装置のコストアップを招くという問題点がある。
【００１６】
そこで、本発明の目的は、周波数ずれ及び位相雑音の影響を受け難くして安価なＳＡＷフィルタを使用でき、放送品質の向上及びコストダウンを図ることができる地上デジタル放送受信用ヘッドエンド装置を提供することにある。
【課題を解決するための手段】
【００１７】
請求項１記載の地上デジタル放送受信用ヘッドエンド装置は、地上デジタル放送のチャンネルに対応して設けられたｎ個のレベル調整部及び１個の周波数変換部を備え、前記レベル調整部は、前記地上デジタル放送信号を可変増幅する可変増幅アンプと、前記可変増幅された地上デジタル放送信号を所定の中間周波数に変換する第一ミキサと、前記中間周波数に変換された地上デジタル放送信号の中から特定のチャンネルの信号を取り出すフィルタと、該特定のチャンネルの信号を元の地上デジタル放送信号の周波数に変換する第二ミキサと、前記第一ミキサ及び第二ミキサで共通に使用する第一局部発振周波数を発生する第一局部発振器とを含み、前記周波数変換部は、前記ｎ個のレベル調整部の出力を合成する合成手段と、前記合成手段によって合成された信号をＶＨＦ帯、ＭＩＤ帯又はＣＡＴＶ帯域に変換する第三ミキサと、前記第三ミキサで使用する第二局部発振周波数を発生する第二局部発振器とを含むことを特徴とする。
請求項２記載の地上デジタル放送共聴システムは、地上デジタル放送信号を受信して、そのチャンネル毎のレベル調整を行い、且つ、レベル調整後の地上デジタル放送信号をＶＨＦ帯、ＭＩＤ帯又はＣＡＴＶ帯域に変換して共同受信設備に供給する地上デジタル放送共聴システムにおいて、地上デジタル放送のチャンネルに対応して設けられたｎ個のレベル調整部及び１個の周波数変換部を備え、前記レベル調整部は、前記地上デジタル放送信号を可変増幅する可変増幅アンプと、前記可変増幅された地上デジタル放送信号を所定の中間周波数に変換する第一ミキサと、前記中間周波数に変換された地上デジタル放送信号の中から特定のチャンネルの信号を取り出すフィルタと、該特定のチャンネルの信号を元の地上デジタル放送信号の周波数に変換する第二ミキサと、前記第一ミキサ及び第二ミキサで共通に使用する第一局部発振周波数を発生する第一局部発振器とを含み、前記周波数変換部は、前記ｎ個のレベル調整部の出力を合成する合成手段と、前記合成手段によって合成された信号をＶＨＦ帯、ＭＩＤ帯又はＣＡＴＶ帯域に変換する第三ミキサと、前記第三ミキサで使用する第二局部発振周波数を発生する第二局部発振器とを含むことを特徴とする。
請求項３記載の地上デジタル放送受信用ヘッドエンド装置は、請求項１記載の地上デジタル放送受信用ヘッドエンド装置において、前記フィルタは、ＳＡＷフィルタであることを特徴とする。
請求項４記載の地上デジタル放送共聴システムは、請求項２記載の地上デジタル放送共聴システムにおいて、前記フィルタは、ＳＡＷフィルタであることを特徴とする。
【発明の効果】
【００１８】
本発明によれば、まず、可変増幅アンプにより、地上デジタル放送信号が可変増幅され、次いで、第一ミキサにより、可変増幅された地上デジタル放送信号が所定の中間周波数に変換される。そして、フィルタにより、中間周波数に変換された地上デジタル放送信号の中から特定のチャンネルの信号が取り出され、次いで、第二ミキサにより、該特定のチャンネルの信号が元の地上デジタル放送信号の周波数に変換される。
【００１９】
ここで、前記第一ミキサ及び第二ミキサは、第一局部発振器で作られた一つの局部発振周波数（第一局部発振周波数）を共通に使用するので、前記第一ミキサ及び第二ミキサにおける入力周波数と出力周波数は完全に同一の周波数となる。よって、チャンネル毎のレベル調整が正しく行われ、各チャンネルを混合した際に、本来の信号と漏れた信号に周波数のずれが生じず、信号に悪影響を及ぼさない。また、位相雑音は同一のゆらぎのため、打ち消されてしまい、位相雑音の影響をまったく受けない。
【００２０】
したがって、レベル調整後の周波数のずれをなくすことができるため、安価なＳＡＷフィルタ（理想的なキレ特性よりも若干性能が劣るＳＡＷフィルタ）を使用することができ、コストダウンを図ることができる。
【００２１】
しかも、ヘッドエンド装置全体のフィルタ数や局部発振器数を、レベル調整部の数（チャンネル数ｎ）に周波数変換部の数（１個）を加えたｎ＋１個とすることができ、従来技術の２ｎ個に比べて大幅に削減できるため、この点においても、ヘッドエンド装置のコストダウンを図ることができる。
また、第一ミキサ及び第二ミキサの局部発振周波数が同一の局部発振器で作られているため、位相雑音の影響はなくなり、第三ミキサと第二局部発振器のみにより位相雑音が発生することになり、従来のように２つの局部発振器による位相雑音の影響に比べて、約半分の位相雑音劣化に抑えることができる。
【発明を実施するための最良の形態】
【００２２】
以下、本発明の実施例を、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２３】
図１及び図２は、地上デジタル放送受信用ヘッドエンド装置（以下、単に「ヘッドエンド装置」という。）の外観図及び内部構造図である。この図において、ヘッドエンド装置１０は、壁掛け式の筐体１１に収められており、この筐体１１は、金属板を折り曲げ加工または溶接加工して形成された１面開放の箱形状のケース１２と、そのケース１２の開放面を閉鎖し、且つ、不図示の壁面等に取り付けられる背面プレート１３とを有して構成されている。
【００２４】
ケース１２の開放面以外の各面（上面、左右側面、下面及び正面）の各々には、微小面積の多数の空気穴１４〜２０が穿設されている。なお、図では、ケース１２の右側面と下面が影になっているため、それらの面に穿設されている空気穴は見えていないが、説明の便宜上、それらの空気穴を符号（１８〜２０）によってのみ表すことにする。
【００２５】
つまり、空気穴１４はケース１２の上面に穿設されている（図示されている）もの、空気穴１５はケース１２の正面の上部に穿設されている（図示されている）もの、空気穴１６はケース１２の左側面の上部に穿設されている（図示されている）もの、空気穴１７はケース１２の左側面の下部に穿設されている（図示されている）ものであり、空気穴１８はケース１２の右側面の上部に穿設されている（図示されていない）もの、空気穴１９はケース１２の右側面の下部に穿設されている（図示されていない）もの、空気穴２０はケース１２の下面に穿設されている（図示されていない）ものである。
【００２６】
なお、ケース１２の正面には、このケース１２の内部に収納されるｎ個（たとえば、１０個）のレベル調整部２１（レベル調整装置）のそれぞれの位置に合わせてレベル調整用のアクセス穴２３が穿設されている他、図示は略しているが、電源表示灯や動作状況表示灯などの透過光窓が適切な位置に設けられている。
【００２７】
背面プレート１３は、その周縁部の任意位置（図示の例ではケース１２の上下に延びた板部分）に、壁面等へのボルト固定穴２４〜２７を穿設形成しており、さらに、背面プレート１３の上部付近に電源ユニット２８を取り付けると共に、その電源ユニット２８の下側に取り付けられた信号分配部２９及び周波数変換部３０の上に、横並びに配列された１０個のレベル調整部２１を取り付けている。なお、レベル調整部２１は、テレビジョン共同受信設備（特に地上デジタル放送対応のもの）における受信チャンネル毎の信号レベルを個別に調節するためのものであり、それぞれのレベル調整部２１は、各ユニットの正面からアクセス可能なレベル調整素子３１、３２を備えている。なお、電源ユニット２８の下側に取り付けられている金属板３３は、電源ユニット２８の熱を遮断するための遮蔽板である。
【００２８】
信号分配部２９の端子３４には、アンテナ３５で受信されたＵＨＦ帯の地上デジタル放送信号がケーブル３６を介して入力されており、また、周波数変換部３０の端子３７からは、チャンネル毎にレベル調整され、さらに、たとえば、ＶＨＦ帯の信号に変換された地上デジタル放送信号がケーブル３８を介して、分配器３９と多数のテレビ端子４０からなる共同受信設備４１に供給されている。
【００２９】
図３は、ヘッドエンド装置１０を含む地上デジタル放送共聴システムの全体構成図である。この図において、アンテナ３５で受信されたＵＨＦ帯の地上デジタル放送信号は、ケーブル３６及び端子３４を介して信号分配部２９内のプリアンプ４２に供給され、このプリアンプ４２で増幅された後、分配器４３でｎ分配される。
【００３０】
ここで、“ｎ”はヘッドエンド装置１０に設けられているレベル調整部２１の数を表している。各々のレベル調整部２１は、それぞれ地上デジタル放送の特定のチャンネルのレベル調整を行うものであるから、言い換えれば、“ｎ”はヘッドエンド装置１０で取り扱うことができる地上デジタル放送のチャンネル数である。
【００３１】
ｎ個のレベル調整部２１は、それぞれ同一の構成を有しており、レベル調整部２１は、入力バンドパスフィルタ４４、第一アンプ４５（可変増幅アンプ）、第一ミキサ４６、ＳＡＷフィルタ４７（フィルタ）、第二アンプ４８、第二ミキサ４９、ＡＧＣ回路５０及び第一局部発振器５１を備える。
【００３２】
入力バンドパスフィルタ４４は、ＵＨＦ帯（４７０〜７７０ＭＨｚ）の中の指定チャンネルの帯域（たとえば、６ＭＨｚ帯域幅）以外の周波数成分をカットするフィルタであり、この入力バンドパスフィルタ４４には、それほどキレのよい特性は求められない。たとえば、ＬＣ型などの安価な構成のフィルタを使用してもよい。この入力バンドパスフィルタ４４を通過した指定チャンネルを中心とした地上デジタル放送信号は、増幅度可変の第一アンプ４５を経て第一ミキサ４６に加えられ、この第一ミキサ４６で所定の局部発振周波数（第一局部発振周波数）ｆａと混合されて中間周波数に変換される。この中間周波数はＳＡＷフィルタ４７の通過帯域に適合した周波数であり、たとえば、５０ＭＨｚである。
【００３３】
ここで、“ＳＡＷフィルタ”とは、固体表面を伝搬する音波（表面弾性波：Surface Acoustic Wave）を利用したデバイスの一種である。ＳＡＷフィルタは、切れの良い超小型のフィルタを作ることができる。一般的に入手可能なＳＡＷフィルタの公称通過周波数は低いもので３０ＭＨｚ程度、高いもので数百ＭＨｚ程度であり、その通過周波数が低くなるほどキレの良さが顕著（つまり、より周波数選択性に優れたフィルタ特性）となることが知られているが、一方でこうした高性能なＳＡＷフィルタは高価（たとえば、３０ＭＨｚ程度のもので数万円）であるから、特殊な用途を除きコストの点で採用できない。
【００３４】
そこで、本実施形態では、ＵＨＦ帯の地上デジタル放送のレベル調整を、チャンネル毎に同一局部発振周波数で行い、入出力同一の周波数とし、各チャンネルを混合して、全チャンネル一括してＶＨＦ帯等に変換する構成として、周波数のずれを抑えたことにより、適度な周波数選択性を有する安価なＳＡＷフィルタ４７を使用できるようにし、もって、ヘッドエンド装置１０の性能向上とコストダウンを図ることを究極の目的としている。
【００３５】
図示のＳＡＷフィルタ４７は、適度な周波数選択性を有する安価なもの（たとえば、数千円で入手できる５０ＭＨｚ程度の公称通過周波数のもの）である。“適度な周波数選択性”とは、基本的に地上デジタル放送の特定チャンネル以外の周波数成分をカットできるという意味であるが、その周波数選択性は完全なものではなく、隣接チャンネルからの若干の信号の漏れを許容する程度のもののことをいう。
【００３６】
冒頭（図６（ａ）参照）でも説明したとおり、たとえ、隣接チャンネルからの漏れ信号が存在していても、当該チャンネルの本来の信号と隣接チャンネルからの漏れ信号との周波数に“ずれ”がなければ（又は、その“ずれ”が無視し得る程度のものであれば）、漏れ信号による悪影響はない（又は許容できる程度に抑えられる）からである。
【００３７】
本実施形態においては、ＳＡＷフィルタ４７を通過した信号を第二アンプ４８で増幅した後、この増幅信号と所定の局部発振周波数ｆａとを第二ミキサ４９で混合して、たとえば、元のＵＨＦ帯の信号に戻している。この第二ミキサ４９で用いられている局部発振周波数ｆａは、前記の第一ミキサ４６で用いられている局部発振周波数ｆａと共通の信号発生源（第一局部発振器５１）で作られたものである。
【００３８】
したがって、信号発生源（第一局部発振器５１）は一つであるから、冒頭の従来技術のように、当該チャンネルの本来の信号と隣接チャンネルからの漏れ信号との周波数のずれを大幅に抑えることができる。その結果、上記のように、適度な周波数選択性を有する安価なＳＡＷフィルタ４７を用いたとしても、隣接チャンネルからの漏れ信号の悪影響を回避でき、ヘッドエンド装置１０のコストダウンを図ることができるのである。
【００３９】
次に、このヘッドエンド装置１０は、チャンネル毎のレベル調整機能と、ＶＨＦ帯などへの周波数変換機能を備えている。
前者のレベル調整機能は、ＡＧＣ回路５０と増幅度可変の第一アンプ４５とによって実現している。すなわち、ＡＧＣ回路５０は第二アンプ４８の出力信号に応じた大きさのＡＧＣ電圧を発生し、第一アンプ４５の増幅度はそのＡＧＣ電圧に応答して変更されるようになっており、したがって、第二アンプ４８の出力信号のレベルが常に所定のレベルに維持されるようになっている。
【００４０】
また、後者の周波数変換機能は、ｎ個のレベル調整部２１の出力を合成する合成器５２（合成手段）と、その合成器５２の出力を増幅する第三アンプ５３と、第三アンプ５３の出力と所定の局部発振周波数（第二局部発振周波数）ｆｂとを混合して、たとえば、ＶＨＦ帯の信号に変換する第三ミキサ５４と、ＶＨＦ帯以外の信号をカットする出力バンドパスフィルタ５５と、出力バンドパスフィルタ５５を通過した信号を増幅する第四アンプ５６と、局部発振周波数ｆｂを発生する第二局部発振器５７とにより実現されており、これらの各部を経て、たとえば、ＶＨＦ帯の信号に全チャンネルを一括して変換された地上デジタル放送信号は、端子３７及びケーブル３８を介して共同受信設備４１に供給されるようになっている。
【００４１】
以上のとおり、本実施形態では、ＳＡＷフィルタ４７の前後に設けられているミキサ（第一ミキサ４６と第二ミキサ４９）に対して、共通の信号発生源（第一局部発振器５１）で作られた一つの局部発振信号ｆａを与えているので、レベル調整部２１個々の調整後の周波数を一致させることができる。したがって、従来装置のように、二つの局部発振信号ｆ１、ｆ２を使用した周波数のずれによる妨害波の発生を抑えることができるので、ＳＡＷフィルタ４７に安価なものを使用することができるようになり、ヘッドエンド装置１０の性能向上とコストダウンを図ることができる。
【００４２】
しかも、ヘッドエンド装置１０に搭載する局部発振器の数を、ｎ個の第一局部発振器５１と１個の第二局部発振器５７の合計「ｎ＋１個」とすることができ、従来技術の「２ｎ個」に比べて大幅に少なくできるから、この点においてもヘッドエンド装置１０のコストダウンを図ることができる。
さらに、本実施形態では、レベル調整部の周波数変換を、１つの局部発振信号ｆａで同一周波数に戻して出力するため、ｆａの“ゆらぎ”による位相雑音は打ち消されてしまう。よって、ヘッドエンド装置１０の全体としては、周波数変換部３０の局部発振信号ｆｂのみによる位相雑音だけが影響することとなり、従来の２つの局部発振信号ｆ１、ｆ２による位相雑音と比べて、その影響を半減させることができる。
【００４３】
なお、本実施形態においては、図３に示すように、チャンネル毎のレベル調整機能をレベル調整部２１に実装すると共に、それ以外の機能を信号分配部２９と周波数変換部３０に実装している。すなわち、図示の例では、プリアンプ４２、分配器４３及び合成器５２を信号分配部２９に実装すると共に、第三アンプ５３、第三ミキサ５４、出力バンドパスフィルタ５５、第四アンプ５６及び第二局部発振器５７を周波数変換部３０に実装しているが、これは設計の一例であり、これに限定されない。他の組み合わせで実装してもよいし、あるいは、信号分配部２９と周波数変換部３０を一つにまとめたり、三つ以上の部分に分けてもよい。
【００４４】
いずれの場合においても、市場に投入する製品形態としては、（イ）すべての構成（レベル調整部２１、信号分配部２９及び周波数変換部３０等）を含むヘッドエンド装置１０それ自体、（ロ）レベル調整部２１単体それ自体、（ハ）信号分配部２９単体それ自体、（ニ）周波数変換部３０単体それ自体などどのようなものであってもよい。
また、周波数変換部３０を別部品（別ユニット）とし、変換したい周波数に応じて適宜選択した周波数変換部３０をヘッドエンド装置１０に組み込むようにしてもよい。
また、周波数変換部３０は複数種の周波数に変換できる回路を有し、スイッチ等で選択して、切り換えられるようにしてもよい。
【００４５】
また、本実施形態においては、プリアンプ４２をヘッドエンド装置１０に含めているが、これに限らず、プリアンプ４２を別部品（別ユニット）とし、たとえば、アンテナ３５の直下に挿入するようにしてもよい。
【図面の簡単な説明】
【００４６】
【図１】ヘッドエンド装置１０の外観図である。
【図２】ヘッドエンド装置１０の内部構造図である。
【図３】ヘッドエンド装置１０を含む地上デジタル放送共聴システムの全体構成図である。
【図４】従来のヘッドエンド装置のブロック図である。
【図５】周波数ずれの影響を説明する図である。
【図６】周波数ずれの影響を説明する図である。
【符号の説明】
【００４７】
ｆａ  第一局部発振周波数
ｆｂ  第二局部発振周波数
１０  地上デジタル放送受信用ヘッドエンド装置
２１  レベル調整部（レベル調整装置）
３０  周波数変換部
４５  第一アンプ（可変増幅アンプ）
４６  第一ミキサ
４７  ＳＡＷフィルタ（フィルタ）
４９  第二ミキサ
５１  第一局部発振器
５２  合成器（合成手段）
５４  第三ミキサ
５７  第二局部発振器
【図１】
0004623628.tif 000002
【図２】
0004623628.tif 000003
【図３】
0004623628.tif 000004
【図４】
0004623628.tif 000005
【図５】
0004623628.tif 000006
【図６】
0004623628.tif 000007